(57)【要約】【課題】化粧料等の汚れの拭き取り性に優れたメガネ洗浄剤組成物を提供する。【解決手段】低級アルコール、及び、揮発性炭化水素油を含有し、前記低級アルコールの含有量が７０重量％以上である、メガネ洗浄剤組成物。【選択図】なし【特許請求の範囲】
【請求項１】
低級アルコール、及び、揮発性炭化水素油を含有し、
前記低級アルコールの含有量が７０重量％以上であることを特徴とする、
メガネ洗浄剤組成物。
【請求項２】
前記揮発性炭化水素油が、イソドデカン、イソヘキサデカン、及び水添ポリイソブテンからなる群より選択される少なくとも一種である請求項１記載のメガネ洗浄剤組成物。
【請求項３】
前記揮発性炭化水素油の炭素数が１０〜１８である、請求項１記載のメガネ洗浄剤組成物。
【請求項４】
前記低級アルコールが、イソプロピルアルコール、及び、エタノールからなる群より選択される少なくとも一種である、請求項１〜３のいずれかに記載のメガネ洗浄剤組成物。
【請求項５】
前記揮発性炭化水素油の含有量が５〜１０重量％である、請求項１〜４のいずれかに記載のメガネ洗浄剤組成物。
【請求項６】
前記低級アルコールの含有量が８０重量％以上である、請求項１〜５のいずれかに記載のメガネ洗浄剤組成物。
【請求項７】
更に、水を２５重量％以下含有する、請求項１〜６のいずれかに記載のメガネ洗浄剤組成物。
【請求項８】
請求項１〜７のいずれかに記載のメガネ洗浄剤組成物を基材シートに含浸してなることを特徴とする、メガネ洗浄用シート。
【発明の詳細な説明】
【技術分野】
【０００１】
本発明は、メガネ洗浄剤組成物に関する。より具体的には、本発明は、化粧料等の汚れの拭き取りに優れたメガネ洗浄剤組成物に関する。
【背景技術】
【０００２】
メガネには、指紋や汗、涙などの皮脂やタンパク質の汚れや、空気中の塵や埃などが付着する。そのような汚れがメガネのレンズに付着すると、レンズの透明性が低下して視界が悪くなる。そのため、メガネのレンズの汚れを落として清浄に保つことは重要である。
【０００３】
従来、メガネを洗浄する方法としては、極細繊維からなる織布（クロス）を用いる方法、超音波による洗浄、中性又は弱アルカリ性洗剤あるいは液状クリーナー等の洗浄剤を使用する方法等が知られている。これらの中でも、洗浄剤を使用する方法は、洗浄力に優れており、汎用されている。
【０００４】
洗浄剤を使用したメガネの洗浄では、通常、メガネレンズ上の汚れに洗浄剤を塗布した後に擦り洗いをしたり、洗浄剤を含浸させた不織布等で擦り洗いしたりすることによって行われている。そのため、メガネ洗浄剤には、メガネのレンズに擦り洗いによる傷を与えない程度の弱い力で汚れを除去できるように、高い洗浄力が必要とされている。
そこで、従来、洗浄力向上を主眼に置いた様々なメガネ洗浄剤が報告されている。
【０００５】
例えば、特許文献１には、フッ素系界面活性剤と、シリコーン系界面活性剤及び／又は炭化水素系界面活性剤とを、水と水に混和し得る有機溶剤との混合溶剤に溶解してなる洗浄剤が、メガネレンズ等の透明製品を良好に洗浄でき、しかも優れた防曇効果を付与できることが開示されている。
【０００６】
また例えば、特許文献２には、水溶性カチオン化ポリマーと両性界面活性剤を含有する泡状クリーナーが、メガネレンズの洗浄性やすすぎ易さに優れ、更に濡れ性を付与できることも開示されている。
【０００７】
また例えば、特許文献３には、低級アルコールと水が混合されてなるアルコール水溶液、アルキル基の炭素数が２以上のジアルキルエーテル及びグリコールエーテル系化合物を含む水性組成物からなる眼鏡用洗浄剤によれば、指紋等の皮脂汚れの完全な除去が可能になることが開示されている。
【０００８】
一方、メガネは、皮脂や埃等の汚れだけでなく、マスカラやファンデーション等の化粧料による汚れも付着することがある。化粧料は、油剤、顔料、保湿剤等の種々の成分を含んでおり、皮脂や埃とは異なり、メガネレンズに吸着されやすく汚れが落ち難いという特質がある。そのため、従来の洗浄力向上を主眼においたメガネ洗浄剤では、化粧料汚れに対する洗浄力は満足できるものではなく、化粧汚れを容易に除去できるメガネ洗浄剤の開発が切望されている。
【先行技術文献】
【特許文献】
【０００９】
【特許文献１】特開平１１−１００６００号公報
【特許文献２】特開２００８−１５６４７２号公報
【特許文献３】特開２００８−１５８０６１号公報
【発明の概要】
【発明が解決しようとする課題】
【００１０】
本発明の目的の一つは、このような現状に鑑み、化粧料等の汚れの拭き取り性に優れたメガネ洗浄剤組成物を提供することである。
【課題を解決するための手段】
【００１１】
本発明者は、前記課題を解決すべく鋭意検討を行ったところ、７０重量％以上の低級アルコール、及び揮発性炭化水素油を含有するメガネ洗浄剤組成物は、メガネ（メガネレンズ）に付着した化粧料汚れをはじめとする汚れの拭き取り性が格段に良好になることを見出した。また、本発明者は、前記揮発性炭化水素油として、イソドデカン及び／又はイソヘキサデカンを選択することによって、更に前記拭き取り性のみならず、更に拭き残り性も良好になることを見出した。
【００１２】
なお、本発明において、「拭き取り性」とは、メガネ洗浄剤組成物を汚れ（化粧料汚れ等）に塗布し、布等で拭き取った際に汚れ（化粧料汚れ等）を落とすことをいい、拭き取り性が良好とは、布等で拭いた場合に汚れを簡単にきれいに落とすことができることをいう。また、本発明において、「拭き残り性」とは、汚れを拭き取った後に洗浄剤組成物に由来する白い拭きスジが残ることをいい、拭き残り性が良好とは、洗浄剤組成物に由来する白い拭きスジが残らないことをいう。
【００１３】
また、そのようなメガネ洗浄剤組成物を不織布等に含有してなるメガネ洗浄用シートは、汚れを容易に拭き取ることができ、メガネを簡便に清浄にすることができることを見出した。また、拭き取った後、拭きスジ等の拭き残りがないことも見出した。本発明は、これらの知見に基づいて更に検討を重ねることにより完成したものである。
【００１４】
即ち、本発明は、下記に掲げる態様の発明を提供する。
項１．  低級アルコール、及び、揮発性炭化水素油を含有し、前記低級アルコールの含有量が７０重量％以上であることを特徴とする、メガネ洗浄剤組成物。
項２．  前記揮発性炭化水素油が、イソドデカン、イソヘキサデカン、及び水添ポリイソブテンからなる群より選択される少なくとも一種である請求項１記載のメガネ洗浄剤組成物。
項３.  前記揮発性炭化水素油の炭素数が１０〜１８である、項１記載のメガネ洗浄剤組成物。
項４．  前記低級アルコールが、イソプロピルアルコール、及び、エタノールからなる群より選択される少なくとも一種である、項１記載のメガネ洗浄剤組成物。
項５．  前記揮発性炭化水素油の含有量が５〜１０重量％である、項１〜４のいずれかに記載のメガネ洗浄剤組成物。
項６．  前記低級アルコールの含有量が８０重量％以上である、項１〜５のいずれかに記載のメガネ洗浄剤組成物。
項７．  更に、水を２５重量％以下含有する、項１〜６のいずれかに記載のメガネ洗浄剤組成物。
項８．  項１〜７のいずれかに記載のメガネ洗浄剤組成物を基材シートに含浸してなることを特徴とする、メガネ洗浄用シート。
【発明の効果】
【００１５】
本発明のメガネ洗浄剤組成物は、メガネに付着した汚れの拭き取り性に優れる。また、本発明のメガネ洗浄剤組成物の好適な一態様では、拭き取り性のみならず、拭き残り性にも優れる。また、本発明によれば、拭き取り性に優れたメガネ洗浄用シートを提供することができる。
【図面の簡単な説明】
【００１６】
【図１】実施例の拭き取り性の試験において、評点３、及び評点１として判定される典型例である。
【図２】実施例の拭き残り性の試験において、評点５、評点３、及び評点１として判定される典型例である。
【図３】実施例の拭き取り性の評価において、実施例２の拭き取り操作前後の様子を観察した写真である。
【図４】実施例の拭き取り性の評価において、実施例９の拭き取り操作前後の様子を観察した写真である。
【発明を実施するための形態】
【００１７】
１．メガネ洗浄剤組成物
本発明のメガネ洗浄剤組成物は、低級アルコール、及び、揮発性炭化水素油を含有し、前記低級アルコールの含有量が７０重量％以上である。以下、本発明のメガネ洗浄剤組成物について詳述する。
【００１８】
低級アルコール
本発明のメガネ洗浄剤組成物は、低級アルコールを含有する。
本発明に使用される低級アルコールとしては、特に限定されないが、後述する揮発性炭化水素油と相溶性を示すことを限度として特に制限されないが、例えば、炭素数１〜４の一価又は二価のアルコールが挙げられる。
【００１９】
一価の低級アルコールとしては、例えば、メタノール、エタノール、１−プロパノール、イソプロピルアルコール（２−プロパノール）、１−ブタノール、２−ブタノール、イソブタノール、ｔ−ブタノール等が挙げられる。
【００２０】
二価の低級アルコールとしては、例えば、エチレングリコール、プロピレングリコール、ジエチレングリコール、１，２−ブタンジオール、１，３−ブタンジオール、１，４−ブタンジオール等のグリコール類等が挙げられる。
【００２１】
本発明のメガネ洗浄剤組成物において、低級アルコールは、１種のものを単独で使用してもよいし、２種以上のものを組み合わせて使用してもよい。
【００２２】
低級アルコールの中でも、拭き取り性により優れる点で、好ましくは一価の低級アルコールが挙げられ、より好ましくは、イソプロピルアルコール（２−プロパノール）、及びエタノールからなる群より選択される少なくとも一種が挙げられ、更に好ましくはイソプロピルアルコール（２−プロパノール）が挙げられる。
【００２３】
本発明のメガネ洗浄剤組成物において、低級アルコールの含有量は、７０重量％以上に設定される。このような含有量の低級アルコールと揮発性炭化水素油を併用することにより、拭き取り性を良好にすることが可能になる。拭き取り性をより一層良好にし、更に揮発性炭化水素油としてイソドデカン及び／又はイソヘキサデカンを使用した際の拭き残り性もより一層良好にするという観点から、本発明のメガネ洗浄剤組成物における低級アルコールの含有量として、好ましくは８０〜９８重量％、より好ましくは９０〜９５重量％が挙げられる。
【００２４】
揮発性炭化水素油
本発明のメガネ洗浄剤組成物は、揮発性炭化水素油を含有する。
本発明における揮発性炭化水素油としては、常温（２５℃）常圧（７６０ｍｍＨｇ）で揮発し得る炭化水素油であれば特に限定されないが、例えば、２０℃における蒸気圧として、好ましくは１５〜４０ｍｍＨｇ、より好ましくは２０〜３０ｍｍＨｇ以上のものが挙げられる。
【００２５】
揮発性炭化水素油の引火点としては、特に制限されないが、例えば４０〜１４０℃、好ましくは４０〜１００℃が挙げられる。引火点は、ＪＩＳ  Ｋ  ２２６５の方法に準拠して求めることができる。
【００２６】
揮発性炭化水素油の炭素数としては、揮発性のものであれば特に限定されないが、例えば、８〜２０が挙げられる。拭き取り性をより良好にするという観点から、揮発性炭化水素油の炭素数として、好ましくは１０〜１８が挙げられる。
【００２７】
揮発性炭化水素油は、直鎖状、分岐状、又は環状のいずれであってもよいが、例えば、８〜２０が挙げられる。拭き取り性をより良好にするという観点から、直鎖状又は分岐状が好ましく、分岐状がより好ましい。
【００２８】
本発明における揮発性炭化水素油の好ましい一例として、炭素数１０〜１８の分岐状炭化水素が挙げられる。炭素数１０〜１８の分岐状炭化水素としては、例えば、イソデカン、イソウンデカン、イソドデカン、イソトリデカン、イソテトラデカン、イソペンタデカン、イソヘキサデカン、イソオクタデカン等が挙げられる。なかでも、拭き取り性がより良好となり、更に拭き残り性が良好となる点で、イソドデカン、及びイソヘキサデカンからなる群より選択される少なくとも１種が好ましい。これらの炭素数１０〜１８の分岐状炭化水素は、１種で用いてもよく、２種以上を併用してもよい。
【００２９】
また、本発明における揮発性炭化水素油の好ましい一例として、水添ポリイソブテンが挙げられる。水添ポリイソブテンは、分岐状の飽和の炭化水素であり、イソブテンを重合、又はイソブテンとｎ−ブテンを共重合させた後、水素添加した化合物である。本発明で使用される水添ポリイソブテンの一態様として、具体的には、下記一般式（１）で表される構造を有する化合物が挙げられる。
【００３０】
【化１】
2017181977.tif 000002
【００３１】
一般式（１）中、ｎは２〜４の整数、好ましくは２又は３、より好ましくは２である。
【００３２】
水添ポリイソブテンの動粘度としては、特に限定されないが、拭き取り性をより一層良好にするという観点から、３７．８℃における動粘度が１０ｍｍ2／ｓ以下、好ましくは１〜１０ｍｍ2／ｓ、より好ましくは１〜５ｍｍ2／ｓが挙げられる。本発明における動粘度は、ＪＩＳ  Ｋ  ２２８３記載の原油及び石油製品−動粘度試験方法及び粘度指数算出方法に基づいて測定したものである。
【００３３】
水添ポリイソブテンとして、具体的には、軽質イソパラフィン、又は、軽質流動イソパラフィンが挙げられる。水添ポリイソブテンの中でも、拭き取り性をより一層良好にするという観点から、軽質流動イソパラフィンが好ましい。これらの水添ポリイソブテンの１種又は２種以上を含有してもよい。
【００３４】
本発明のメガネ洗浄剤組成物では、水添ポリイソブテンとして市販品を用いてもよい。本発明において使用可能な水添ポリイソブテンの市販品の具体的な例としては、例えば、ＣＲＯＬＡＴＵＭ  ＬＥＳ（クローダジャパン社製）等が挙げられる。
【００３５】
本発明のメガネ洗浄剤組成物において、揮発性炭化水素油は、１種のものを単独で使用してもよいし、２種以上のものを組み合わせて使用してもよい。
【００３６】
揮発性炭化水素油の中でも、拭き取り性をより一層良好にするという観点から、好ましくはイソドデカン、イソヘキサデカン、及び水添ポリイソブテンが挙げられる。とりわけ、イソドデカン及びイソヘキサデカンは、拭き取り性をより良好にしつつ、拭き残り性を良好にすることができるので、特に好適である。
【００３７】
本発明のメガネ洗浄剤組成物における揮発性炭化水素油の含有量としては、特に限定されないが、例えば、１〜２５重量％が挙げられる。拭き取り性をより良好にし、更にイソドデカン及び／又はイソヘキサデカンを使用する場合には拭き残り性をより一層良好にするという観点から、本発明のメガネ洗浄剤組成物における揮発性炭化水素油の含有量として、好ましくは３〜１５重量％、より好ましくは５〜１０重量％が挙げられる。
【００３８】
本発明のメガネ洗浄剤組成物において、低級アルコールと揮発性炭化水素油の含有比は特に限定されないが、例えば、低級アルコール１００重量部あたり、揮発性炭化水素油が、１〜３５重量部、好ましくは３〜１５重量部、より好ましくは５〜１０重量部が挙げられる。
【００３９】
その他の成分
本発明のメガネ洗浄剤組成物は、更に水を含有していてもよい。本発明のメガネ洗浄剤組成物に含まれる水としては、特に限定されないが、不純物が少なく、メガネ洗浄剤組成物の拭き取り性や拭き残り性への影響が少ない水が好ましく、例えば、超純水、純水、蒸留水、イオン交換水等が用いられる。
【００４０】
本発明のメガネ洗浄剤組成物において、水の含有量は、２５重量％以下が好ましい。水の含有量が２５重量％を超えると、本発明のメガネ洗浄剤組成物において各成分の可溶化が不十分となり濁りを生じるおそれがある。本発明のメガネ洗浄剤組成物は、水を含有しても含有しなくてもよいが、水の含有量としては、メガネ洗浄剤組成物の各成分を均一に溶解させて安定性を向上させる上で、０〜２０重量％がより好ましく、０〜１０重量％が更に好ましい。
【００４１】
また、本発明のメガネ洗浄剤組成物は、本発明の効果を阻害しない範囲で、前述した低級アルコール、揮発性炭化水素油、水以外に他の添加剤を含んでいてもよい。本発明のメガネ洗浄剤組成物に含まれる他の成分としては、例えば、香料、界面活性剤、清涼剤、防腐剤、殺菌剤、増粘剤、ｐＨ調製剤、紫外線吸収剤等が挙げられる。本発明のメガネ洗浄剤組成物において、これらの添加剤の含有量については、特に制限されないが、
これらの添加剤の総量で、５重量％以下、好ましくは３重量％以下、より好ましくは１重量％以下となる範囲が挙げられる。
【００４２】
メガネ洗浄剤組成物の製造方法
本発明のメガネ洗浄剤組成物は、前述の低級アルコール、揮発性炭化水素油、及び、必要に応じて水又は他の成分を混合することにより、調製することができる。前記混合としては、各成分が溶解して均一になるように混合できる方法であれば、特に限定されず、公知の混合方法を採用することができる。
【００４３】
使用方法
本発明のメガネ洗浄剤組成物は、メガネに付着した汚れの拭き取り性に優れる。本発明のメガネ洗浄剤組成物は、メガネに付着した皮脂、垢、埃等の汚れのみならず、従来のメガネ洗浄剤組成物では困難であった化粧料の汚れも容易に拭き取ることができる。すなわち、本発明のメガネ洗浄剤組成物を化粧料汚れに塗布して、布等で拭き取ることにより、皮脂等の汚れに加えて、更に化粧料汚れまでも容易に落とすことができる。
【００４４】
また、本発明の好ましい一態様では、本発明のメガネ洗浄剤組成物は、更に、拭き残り性にも優れる。すなわち、本発明のメガネ洗浄剤組成物は、当該メガネ洗浄剤組成物を化粧料等の汚れに塗布して布等で拭き取った後、当該洗浄剤組成物の拭きスジが残るのを抑制することができる。
【００４５】
本発明のメガネ洗浄剤組成物が適用可能な化粧料の汚れとしては、特に限定されないが、例えば、マスカラ、ファンデーション、口紅、リップグロス、アイシャドー、頬紅、アイライナー等の各種化粧料がメガネに付着した汚れ等が挙げられる。
【００４６】
このように、本発明のメガネ洗浄剤組成物は、皮脂、垢、埃等の汚れだけでなく、化粧料汚れも落とし得るので、特に化粧料汚れが問題となりやすい女性用メガネの洗浄剤組成物であることが好ましい。
【００４７】
本発明のメガネ洗浄剤組成物を使用したメガネの洗浄は、例えば、本発明のメガネ洗浄剤組成物をメガネに付着した汚れに塗布又は噴霧し、その後、乾いた布又はティッシュペーパー等で拭き取る方法によって行うことができるが、洗浄簡便性の観点からは、本発明のメガネ洗浄剤組成物を基剤シートに予め含浸させたメガネ洗浄用シートを使用してメガネに付着した汚れを拭き取る方法によって行うことが好ましい。なお、本発明のメガネ洗浄剤組成物を基剤シートに予め含浸させたメガネ洗浄用シートについては後述する。
【００４８】
メガネを洗浄する際の本発明のメガネ洗浄剤組成物の使用量については、特に限定されず、化粧料汚れの範囲、程度に応じて適宜調整して使用するとよい。
【００４９】
２．メガネ洗浄用シート
本発明のメガネ洗浄用シートは、前述のメガネ洗浄剤組成物を基材シートに含浸してなることを特徴とする。
【００５０】
本発明のメガネ洗浄用シートは、前述のメガネ洗浄剤組成物を適用するものであるため、化粧料汚れをはじめとする汚れの拭き取り性に優れている。本発明のメガネ洗浄用シートは、特に化粧料汚れが問題となりやすい、女性用メガネ洗浄用シートであることが好ましい。
基材シートとしては、前記メガネ洗浄剤組成物を含浸可能なシート状物であれば特に限定されず、紙でも布であってもよい。布の場合は、織布であっても、不織布であってもよい。なかでも、基材シートとしては、メガネ洗浄剤組成物を充分に含浸することができる点で不織布が好ましい。また、基材シートは、レンズ等の被洗浄物表面への密着性が高く、洗浄力、拭き残りの少ない点で、極細繊維を含むことが好ましい。
【００５１】
基材シートを構成する繊維としては、特に限定されず公知のものが挙げられ、例えば、セルロース繊維である綿やパルプ、又はこれを改質したもの、ポリエチレン、ポリプロピレン、ポリエステル、アクリル、ナイロン等の繊維、あるいはこれらの混合繊維が挙げられる。
【００５２】
本発明のメガネ洗浄用シートにおけるメガネ洗浄剤組成物の含浸量については、使用する基剤シートの種類等に応じて適宜設定すればよいが、例えば、基材シート１００重量部当たり、メガネ洗浄剤組成物が、５０〜３００重量部、好ましくは６０〜１００重量部が挙げられる。
【００５３】
本発明のメガネ洗浄用シートは、基材シートに、前述のメガネ洗浄剤組成物を含浸させることにより製造することができる。基材シートにメガネ洗浄剤組成物を含浸させる方法としては、特に限定されず、予め調製したメガネ洗浄剤組成物中に基材シートを浸漬する方法や、基材シートにメガネ洗浄剤組成物を噴霧又は塗布して含浸させる方法等、公知の方法が挙げられる。
【実施例】
【００５４】
次に、本発明を実施例により、さらに詳細に説明するが、本発明は、これらの例によってなんら限定されるものではない。
【００５５】
＜実施例１〜１４、比較例１〜５＞
表１〜２に示す組成となるように各成分を混合してメガネ洗浄剤組成物を調製した。なお、表１及び２に記載される各処方に使用した成分について、具体的には以下の通りである。
ＩＰＡ（イソプロピルアルコール）：トクソＩＰＡ工業用
イソドデカン：Ｐｅｒｍｅｔｈｙｌ（登録商標）９９Ａ（プレスパース社製）
イソヘキサデカン：アラモルＨＤ（クローダジャパン社製）
水添ポリイソブテン：ＣＲＯＬＡＴＵＭ  ＬＥＳ（クローダジャパン社製）
【００５６】
得られたメガネ洗浄剤組成物について、下記の方法にて、安定性、拭き取り性、及び、拭き残り性について評価した。結果を表１〜２に示す。
【００５７】
＜安定性＞
得られたメガネ洗浄剤組成物の外観を目視にて観察し、下記の基準にて評価した。
評価基準
○：成分が可溶化して透明である
×：混濁している
【００５８】
＜拭き取り性＞
マスカラ（商品名ヒロインメイク、株式会社伊勢半製）を、スライドガラス（商品名ＳＵＰＥＲＦＲＯＳＴ−２０、松浪硝子工業株式会社製）表面の約１ｃｍ×１ｃｍの範囲に０．０１ｇ／ｃｍ2の量となるよう均一に塗布した後、１２時間放置した。その後、前記で得られた洗浄剤組成物０．２ｍｌを含浸した不織布（ＰＥＴ／ＰＥ繊維、１００ｍｍ×１３５ｍｍ、３５ｇ／ｍ2）を堅牢機（株式会社安田精機製作所社製）の摩擦子（２０ｍｍ×２０ｍｍ）にセットし、拭き取り面２０ｍｍ×２０ｍｍ、荷重２００ｇでマスカラを塗布したスライドガラスの表面を１０往復させることによりマスカラの拭き取り操作を行った。
【００５９】
マスカラの拭き取り操作後に、スライドガラスに残存するマスカラの量を目視にて観察し、下記判定基準に従って、拭き取り性を評価した。なお、参考のため、拭き残り性の評点３、及び評点１として判定される典型例を図１に示す。
（判定基準）
５：塗布したマスカラの１０％程度未満が残存している。
４：塗布したマスカラの１０％程度以上３０％程度未満が残存している。
３：塗布したマスカラの３０％程度以上５０％程度未満が残存している。
２：塗布したマスカラの５０％程度以上９０％程度未満が残存している。
１：塗布したマスカラの９０％程度以上が残存している。
【００６０】
更に、実施例１、２、及び６〜９については、スライドガラス（ブランク）の光透過率と、拭き取り操作前のスライドガラスのマスカラを塗布した領域の光透過率と、拭き取り操作後のスライドガラスのマスカラを拭き取った領域の光透過率を測定し、下記式に従って、拭き取り率（％）を算出した。なお、光透過率は、SSEYL  Landtek  Window  Tint  Meter  WTM-1000（Landtek社製）を用いて全光線透過率を測定することにより求めた。
【数１】
2017181977.tif 000003
【００６１】
＜拭き残り性＞
前記で得られた洗浄剤組成物０．２ｍｌを含浸した不織布（ＰＥＴ／ＰＥ繊維、１００ｍｍ×１３５ｍｍ、３５ｇ／ｍ2）を用意し、メガネのレンズ（プラスチック製）の表裏の両表面を優しく拭いた。その後のレンズ表面の様子について、目視により観察し、下記判定基準に従って、拭き残り性を評価した。拭き残り性については、それぞれ拭き取った直後（拭きあがり）、拭き取って１０秒経過後、１分経過後、及び、１分経過後に更に乾いた布で拭き取った場合について評価した。なお、参考のため、拭き残り性の評点５、評点３、及び評点１として判定される典型例を図２に示す。なお、図２に示す典型例では、前記プラスチックの代わりにスライドガラスを使用している。
（評価基準）
５：拭きスジが全く認められない
４：拭きスジが少し認められる
３：拭きスジが認められる
２：拭きスジがやや多く認められる
１：拭きスジが多く認められる
【００６２】
＜評価結果＞
得られた結果を表１及び２に示す。また、拭き取り性の評価において、実施例２と実施例９の拭き取り操作前後の様子を観察した写真を図３及び図４に示す。表１及び表２より、メガネ洗浄剤組成物において、イソプロピルアルコール又はエタノールの低級アルコールと、イソドデカン、イソヘキサデカン又は水添ポリイソブテンの揮発性炭化水素油を含み、低級アルコールの含有量が７０重量％以上である場合は、拭き取り性が高かった。また、低級アルコールとして、イソプロピルアルコールを含む場合は、エタノールを含む場合と比べて、拭き取り性が更に高かった。また、低級アルコールの含有量が８０重量％以上である場合は、７０重量％以上である場合と比較して、拭き残り性がより高かった。
【００６３】
また、揮発性炭化水素油として、イソドデカン、又はイソヘキサデカンを含む場合は、水添ポリイソブテンを含む場合と比べて、拭き残り性がより高くなった。
【００６４】
【表１】
2017181977.tif 000004
【００６５】
【表２】
2017181977.tif 000005
【図１】
2017181977.tif 000006
【図２】
2017181977.tif 000007
【図３】
2017181977.tif 000008
【図４】
2017181977.tif 000009